(57)【要約】【課題】セキュリティの向上を図るとともに、認証キーの登録処理を簡易化する。【解決手段】認証キー照合装置１０は、任意な形状の透過孔３１が形成され、且つその透過孔３１に所定波長の光のみが透過する光学フィルタ３１ａを設けた認証キー３０に対して所定波長の光を出射する発光手段１１と、発光手段１１から出射された光が光学フィルタ３１ａを透過したときの透過孔３１の画像データを出力する孔形状読取手段１２と、孔形状読取手段１２からの画像データに基づく透過孔３１の形状を特定した孔形状情報を出力する画像解析手段１３と、孔形状情報と透過孔３１を透過した光の発光波長を示す発光波長情報とからなる認証情報を、予め登録された照合用の認証情報と照合してその正当性を判別し、正常認証したときに錠前の施解錠制御を行う制御判別手段１７とを備える。【選択図】図１
2010209519.tif 000002
【特許請求の範囲】
【請求項１】
任意な形状の透過孔が形成され、且つその透過孔に所定波長の光のみが透過する光学フィルタを設けた認証キーの正当性を判別し、その判別結果に基づき錠前の施解錠制御を行う認証キー照合装置を備えた認証キー照合システムであって、
前記認証キー照合装置は、
認証キー挿入穴に挿入された前記認証キーに対して所定波長の光を出射する発光手段と、
該発光手段から出射された光が前記光学フィルタを通過したときの前記透過孔の画像データを出力する孔形状読取手段と、
該孔形状読取手段からの前記画像データに基づく前記透過孔の形状を特定する孔形状情報を出力する画像解析手段と、
前記孔形状情報と前記透過孔を透過した光の発光波長情報とからなる認証情報を、予め登録された照合用の認証情報と照合してその正当性を判別し、正常認証したときに前記錠前の施解錠制御を行う制御判別手段と、
を備えたことを特徴とする認証キー照合システム。
【請求項２】
前記発光手段は、発光素子を複数備え、各発光素子がそれぞれ異なる波長の光を出射することを特徴とする請求項１記載の認証キー照合システム。
【請求項３】
請求項１又は２記載の認証キー照合システムで用いる認証キーの登録方法であって、
登録対象の認証キーを前記認証キー挿入穴に挿入するステップと、
前記認証キー挿入穴に挿入された認証キーに所定波長の光を出射するステップと、
前記出射した光が前記光学フィルタを透過したときの前記認証キーの透過孔の画像データを取得したか否かを判別するステップと、
前記画像データを取得したときに、この画像データに基づいて前記認証キーに形成された透過孔の形状を特定するステップと、
前記特定された透過孔の形状を示す孔形状情報と、前記透過孔を透過した光の発光波長を示す発光波長情報とを、前記認証キーの認証情報として登録するステップと、
を含むことを特徴とする認証キーの登録方法。
【発明の詳細な説明】
【技術分野】
【０００１】
本発明は、錠前を解錠又は施錠する際に用いられる認証キーの照合を行う認証キー照合システム及び認証キーの登録方法に関するものである。
【背景技術】
【０００２】
従来、各種建物の出入口に配設された錠前の施解錠に用いられる鍵としては、一般に金属小片に任意な形状が形成されたものや表面に窪みが形成されたものが一般的である。そして、一般的に知られているメカ錠では、錠前のシリンダに形成された鍵挿入穴に鍵を挿入し、鍵の凹凸と錠前内の凹凸とを物理的に接触させ合致した状態で鍵を所定方向へ回動操作することで、扉枠側の係合穴に係合するデッドボルトを進退させて錠前の解錠又は施錠を行っている。
【０００３】
しかしながら、上述したメカ錠では、施解錠操作を繰り返し多く行うと、鍵の刻みや窪みが磨耗してしまい、鍵として機能しなくなるという問題があった。また、鍵の形状と鍵穴の形状とが一対一対応しているため、鍵を紛失した場合には、防犯上、鍵だけではなく錠前一式を取り替える必要がある。同様の理由から、転居した住人が以前使用していた鍵が悪用されることを防止するためにシリンダの交換が必要となるが、住人が転居する度にシリンダを買い替えなければならず、その都度取り替え作業の煩雑さや交換費用が嵩むという問題があった。さらに、鍵の形状によっては、第三者による複製も比較的に容易であるため、ユーザはセキュリティ面に不安があった。
【０００４】
このため、シリンダの鍵挿入穴に挿入される鍵の照合を非接触で行い、鍵の磨耗やシリンダの交換に係る問題を解消するとともにセキュリティ性を向上させる装置として、例えば下記特許文献１〜３に開示される装置が知られている。
【０００５】
特許文献１に開示されるキー情報読取装置は、キーが本体のキー穴に完全に挿入されたとき、キーの最短刻み溝間隔で配置された複数のキー情報検出素子によりキーの刻み溝の形状を検出してキー情報信号として出力するように構成されている。
【０００６】
特許文献２に開示される錠鍵装置は、錠内の鍵挿入穴に発光素子と受光素子を対向して備え、鍵体には発光素子からの光を透過させる透孔を穿設してあり、錠内の鍵挿入穴に対し、鍵の挿入方向と交差する光学系のラインセンサーを備えている。また、ラインセンサーの予め設定された幅と合致しない遮光がなされると警報装置が作動し、錠の奥方に受光素子と電気的に接続されたプリント回路基板を備え、そのプリント回路基板に搭載されるスイッチング素子によって起動するモータと、そのモータによって稼動される回転体を備え、その回転体によってロック部材が作動される構成である。
【０００７】
特許文献３に開示される電子錠装置は、２つの鍵厚保持機構により保持された鍵に対する発光素子の照射光によって画像走査面上に鍵の影像を投影し、画像抽出部によって鍵の影像を画像データに変換し、得られた画像データを開錠判定部が予め認証データとして記憶した画像データと照合して開錠の合否判定を行う構成である。
【先行技術文献】
【特許文献】
【０００８】
【特許文献１】特開平１−２０３５７４号公報
【特許文献２】特開２００１−３１１３３１号公報
【特許文献３】特開２００４−１２４５２８号公報
【発明の概要】
【発明が解決しようとする課題】
【０００９】
しかしながら、特許文献１の装置では、鍵の最短刻み間隔で配置された複数のキー情報検出素子で光学的に刻み溝の位置と形状を光学的に読み取っているが、予め登録されている刻み溝の位置や形状が一致するか否かを判別するだけである。従って、予め登録されている刻み溝の位置や形状の鍵が作製され不正に使用される虞があった。
【００１０】
また、特許文献２の装置では、発光素子と受光素子が錠内に設けられ、発光素子からの光を透過する透孔がランダムに形成された鍵を錠に挿入した際に、予め登録されている透孔の位置と一致するか否かを判別しているが、鍵の透孔の形状を認識しているものではない。このため、鍵違い数が少なくセキュリティ性に問題があった。
【００１１】
さらに、特許文献３の装置では、鍵画像取得部で発光素子の照射光により取得された鍵の影像に基づき鍵の形状を認証しているが、鍵の形状だけ合致すれば錠前の施解錠が可能となるため、やはり特許文献１と同様に鍵が複製され不正に使用される虞があった。
【００１２】
そこで、本発明は上記問題点に鑑みてなされたものであり、鍵の複製が困難で、且つ鍵違い数の多い認証キーの照合を行ってセキュリティ性の向上を図ることができる認証キー照合システム及び認証キーの登録方法を提供することを目的とするものである。
【課題を解決するための手段】
【００１３】
上記した目的を達成するために、請求項１に記載された認証キー照合システムは、任意な形状の透過孔が形成され、且つその透過孔に所定波長の光のみが透過する光学フィルタを設けた認証キーの正当性を判別し、その判別結果に基づき錠前の施解錠制御を行う認証キー照合装置を備えた認証キー照合システムであって、
前記認証キー照合装置は、
認証キー挿入穴に挿入された前記認証キーに対して所定波長の光を出射する発光手段と、
該発光手段から出射された光が前記光学フィルタを通過したときの前記透過孔の画像データを出力する孔形状読取手段と、
該孔形状読取手段からの前記画像データに基づく前記透過孔の形状を特定する孔形状情報を出力する画像解析手段と、
前記孔形状情報と前記透過孔を透過した光の発光波長情報とからなる認証情報を、予め登録された照合用の認証情報と照合してその正当性を判別し、正常認証したときに前記錠前の施解錠制御を行う制御判別手段と、
を備えたことを特徴とする。
【００１４】
請求項２に記載された認証キー照合システムは、請求項１記載の認証キー照合システムにおいて、
前記発光手段は、発光素子を複数備え、各発光素子がそれぞれ異なる波長の光を出射することを特徴とする。
【００１５】
請求項３に記載された認証キーの登録方法は、請求項１又は２記載の認証キー照合システムで用いる認証キーの登録方法であって、
登録対象の認証キーを前記認証キー挿入穴に挿入するステップと、
前記認証キー挿入穴に挿入された認証キーに所定波長の光を出射するステップと、
前記出射した光が前記光学フィルタを透過したときの前記認証キーの透過孔の画像データを取得したか否かを判別するステップと、
前記画像データを取得したときに、この画像データに基づいて前記認証キーに形成された透過孔の形状を特定するステップと、
前記特定された透過孔の形状を示す孔形状情報と、前記透過孔を透過した光の発光波長を示す発光波長情報とを、前記認証キーの認証情報として登録するステップと、
を含むことを特徴とする。
【発明の効果】
【００１６】
本発明によれば、錠前の施解錠操作時に認証キーを非接触で照合判別しているため、メカ錠のような刻みや窪みの磨耗の問題がなく、常に正確な認証キーの照合判別を行うことができる。また、透過孔の形状と透過波長の２つの要素により認証キーの鍵違いをより多く発生させることができるため、認証キーの複製が従来に比べて非常に困難となり、セキュリティ性が格段に向上する。さらに、認証キーを交換する場合であっても、新たな認証キーの登録操作を行うだけでよいため、シリンダの取り替え作業がなくなるとともに、交換費用を抑える効果を奏する。
【図面の簡単な説明】
【００１７】
【図１】図１は本発明に係る認証キー照合システムの構成を示す概略ブロック図である。
【図２】同認証キー照合システムで使用する認証キーの一例を示す説明図である。
【図３】同認証キー照合システムにおける認証キー登録処理のフローチャートである。
【図４】同認証キー照合システムにおける認証キー照合処理のフローチャートである。
【発明を実施するための形態】
【００１８】
以下、本発明を実施するための形態について、添付した図面の図１〜図４を参照しながら詳細に説明する。
【００１９】
［認証キー照合システムの構成］
図１に示すように、本例の認証キー照合システム１は、認証キー照合装置１０と電気錠装置２０とを備えて概略構成され、認証キー挿入穴１０ａに挿入された認証キー３０に所定波長の光を出射し、この光の出射に伴って認証キー３０から取得した孔形状情報及び波長情報を予め登録された認証情報と照合して認証キー挿入穴１０ａに挿入された認証キー３０の正当性を判別し、認証キー３０を正常認証したときのみ電気錠装置２０の錠前を解錠（又は施錠）制御している。以下、各構成要件について詳細に説明する。
【００２０】
＜認証キーの構成＞
まず、本発明に係る認証キー照合システムに用いられる認証キー３０の構成について、図２を参照しながら説明する。
【００２１】
図２に示すように、本発明で使用される認証キー３０は、キー本体に任意の形状の透過孔３１が少なくとも１つ以上形成されている。また、透過孔３１には、フィルタ３１ａが設けられている。このフィルタ３１ａは、認証キー３０を認証キー挿入穴１０ａに挿入して認証キー照合装置１０により照合を行う際に、発光手段１１から出射される光のうち特定波長の光のみを透過するフィルタ特性を有している。すなわち、認証キー３０は、キー本体に形成された任意の形状の透過孔３１と、この透過孔３１に設けられた光学フィルタ３１ａとの組み合わせによって特定される。なお、光学フィルタ３１ａは、発光手段１１で使用される発光素子の波長に基づき、製造時にこれら発光素子の波長の中から任意に選択された波長の光のみを通過するように作製されている。
【００２２】
＜認証キー照合装置の構成＞
認証キー照合装置１０は、図１に示すように、発光手段１１、孔形状読取手段１２、画像解析手段１３、記憶手段１４、報知手段１５、操作手段１６、制御判別手段１７を備えて概略構成され、入室時に施解錠操作可能なように例えば室外側における扉面や扉近傍の所定箇所に設けられている。認証キー照合装置１０は、装置本体の室外側の所定箇所に設けられた認証キー挿入穴１０ａに挿入される認証キー３０の登録／照合を行っている。
【００２３】
発光手段１１は、例えばＬＥＤなどの所定波長の光を出射する発光素子で構成される。発光手段１１は、認証キー挿入穴１０ａに挿入される認証キー３０の挿入方向と交差し、且つ出射する光が認証キー３０の透過孔３１を透過可能な位置に設けられている。図１の例では、認証キー挿入穴１０ａの上部に設けられ、認証キー挿入穴１０ａに挿入された認証キー３０の透過孔３１に向けて光を出射している。
【００２４】
発光手段１１は、予め設定された発光制御情報（発光間隔や発光時間など）に基づく制御判別手段１７の制御によって所定波長の光を出射している。なお、本例では、発光手段１１として５種類の発光素子（発光素子ａ〜ｅ）を使用し、各発光素子ａ〜ｅがそれぞれ異なる波長の光（波長λ１〜５の何れか１波長の光）を出射する構成である。
【００２５】
孔形状読取手段１２は、例えばＣＣＤ（Charge Coupled Device)などの対象物の画像データを取得する画像センサで構成され、発光手段１１と対向する位置に設けられている。図１の例では、認証キー挿入穴１０ａの下部に設けられている。孔形状読取手段１２は、発光手段１１からの光が認証キー挿入穴１０ａに挿入された認証キー３０に出射され、認証キー３０に形成された透過穴３１の光学フィルタ３１ａを透過した透過光を受光し、この受光した透過光を光電変換して得られる透過孔３１の画像データを画像解析手段１３に出力している。すなわち、孔形状読取手段１２は、発光手段１１からの光が認証キー３０に形成された透過孔３１のフィルタ３１ａを透過したときの透過光を受光することにより、認証キー３０に形成された透過孔３１の形状を画像データとして読み取っている。
【００２６】
画像解析手段１３は、孔形状読取手段１２から出力された透過孔３１の画像データを画像解析処理して認証キー３０に形成された透過孔３１の形状を特定し、この特定された透過孔３１の形状を示す孔形状情報を制御判別手段１７に出力している。すなわち、画像解析手段１３は、発光手段１１で発光した光によって投影された透過孔３１の形状を特定している。
【００２７】
記憶手段１４は、例えば磁気的、光学的記憶媒体若しくはＲＯＭ、ＲＡＭなどの半導体メモリで構成される。記憶手段１４は、発光手段１１を発光制御するための発光制御情報（発光周期や発光時間など）の記憶、認証キー３０の登録処理時に登録対象となった認証キー３０に関する孔形状情報及び発光波長情報を照合用の認証情報として記憶する他、認証キー照合システム１を構成する各部の駆動データや処理情報を記憶している。
【００２８】
報知手段１５は、例えばＬＥＤなどの光源装置、液晶ディプレイや蛍光表示管などの表示装置、ブザーなどの鳴動装置で構成される。図１では、ＬＥＤ表示を行う光源装置で報知手段１５を構成した例を示している。報知手段１５は、制御判別手段１７の制御により、例えば文字、音声の少なくとも１種類を用い、認証キー３０の登録・照合時の処理状況に応じて予め設定された通知内容を外部に報知している。
【００２９】
操作手段１６は、例えば操作ボタンで構成され、室内側における扉面や扉近傍の所定箇所に配置されている。操作手段１６は、後述する図３のキー登録処理における認証キー３０の登録開始や終了を指示するときに所定操作（押下）され、この操作に基づく操作信号を制御判別手段１７に出力している。
【００３０】
制御判別手段１７は、例えばＣＰＵやＲＯＭ、ＲＡＭなどのマイクロコンピュータで構成され、認証キー３０の登録時や施解錠操作時における報知手段１５の報知処理に関する制御、予め設定記憶された発光制御情報（発光間隔や発光時間など）に基づく発光手段１１の発光処理に関する制御など、認証キー照合装置１０を構成する各部の処理制御を行っている。また、制御判別手段１７は、認証キー３０の登録時に操作手段１６から操作信号が入力すると、このときに取得した認証キー３０の孔形状情報と、この孔形状情報を取得したときの発光素子の発光波長を特定する発光波長情報とを、認証キー３０の登録操作時の認証情報として記憶手段１４に登録している。
【００３１】
さらに、制御判別手段１７は、施解錠操作時に取得した認証キー３０の孔形状情報及び発光波長情報を、記憶手段１４に記憶される認証キー３０毎の認証情報と照合してその正当性の有無を判別している。そして、制御判別手段１７は、取得した認証キー３０の孔形状情報及び発光波長情報が正当であると判別した場合にのみ、現在の錠前の施解錠状態、電気錠装置２０からの扉開閉情報に基づく扉の開閉状態に応じて、錠前を電気的に施解錠制御するための指令信号（施錠指令信号、解錠指令信号）を電気錠装置２０に出力している。
【００３２】
＜電気錠装置の構成＞
次に、上述した認証キー照合装置１０の照合結果に基づいて錠前を施解錠制御する電気錠装置２０の構成について説明する。
【００３３】
電気錠装置２０は、ノブ、ラッチボルト、デッドボルトなどとともに錠箱（ハウジング）に組み込まれた施解錠機構の一部を構成し、扉内部に配置されている。電気錠装置２０は、施錠・閉扉状態のときに認証キー照合装置１０から解錠指令信号が入力されると、アクチュエータの駆動によりデッドボルトが扉枠側の係合穴から退避して錠前を解錠する。これに対し、解錠・閉扉状態のときに認証キー照合装置１０から施錠指令信号が入力されると、アクチュエータの駆動によりデッドボルトが扉枠側の係合穴に係合して錠前を施錠する。さらに、電気錠装置２０は、現在の扉の状態（開扉状態、閉扉状態）を検出しており、施解錠操作時に扉の状態に応じた扉開閉情報を制御判別手段１７に出力している。
【００３４】
［認証キー照合システムの処理動作］
次に、上述した認証キー照合システム１の処理動作について図３及び図４を参照しながら説明する。ここでは、発光手段１１として波長λ１〜５の何れかの波長で発光する５種類の発光素子ａ〜ｅを用い、発光素子ａ〜ｅを発光素子ａから順番に発光させる構成例であり、認証キー３０の登録時における処理動作（図３）、認証キー３０による施解錠操作時の処理動作（図４）についてそれぞれ説明する。
【００３５】
＜認証キーの登録処理＞
図３に示すように、認証キー３０の登録処理では、まず予め所定波長の光のみを透過する光学フィルタ３１ａが任意の形状の透過孔３１に設けられた登録対象の認証キー３０を認証キー照合装置１０の認証キー挿入穴１０ａに挿入する（ＳＴ１）。次に、操作手段１６を操作して登録処理の開始を指示する（ＳＴ２）。その後、発光手段１１（最初に発光させる発光素子ａ）を発光させ（ＳＴ３）、認証キー挿入穴１０ａに挿入された認証キー３０の透過孔３１に向けて光を出射する。ここでは、登録処理開始時であるため、最初に発光素子ａを発光させている。
【００３６】
続いて、発光素子ａからの光が認証キー３０に設けられた透過孔３１の光学フィルタ３１ａを透過した際に得られる透過孔３１の画像データを孔形状読取手段１２が取得したか否かを判別する（ＳＴ４）。
【００３７】
ここで、孔形状読取手段１２が画像データを取得したと判別すると（ＳＴ４−Ｙｅｓ）、現在発光している発光素子ａの光が透過孔３１を透過したことを示しているので、そのときの画像データを画像解析手段１３で画像解析処理して認証キー３０に形成された透過孔３１の形状を特定し（ＳＴ５）、特定された透過孔３１の孔形状情報を、そのとき光を出射していた発光素子ａの発光波長情報とともに認証キー３０の認証情報として記憶手段１４に登録する（ＳＴ６）。
【００３８】
これに対し、孔形状読取手段１２が画像データを取得していないと判別すると（ＳＴ４−Ｎｏ）、発光素子ａの光が透過孔３１の光学フィルタ３１ａを透過しないので、次の発光素子（発光素子ｂ）に切り替え（ＳＴ７）、再度ＳＴ３の処理に戻り、発光素子ｂ〜ｅについて発光素子ａと同様の処理を実行する。
【００３９】
尚、ＳＴ６において、認証情報の登録が完了すると、報知手段１５により登録完了を通知するための報知を行う。そして、ユーザは、この報知により認証情報の登録処理が完了したことを知得するため、操作手段１６を所定操作して登録処理の解除を指示し、認証キー３０の登録処理を終了する。
【００４０】
＜認証キーの照合処理＞
図４に示すように、認証キー３０による施解錠操作時の照合処理では、認証キー３０を認証キー照合装置１０の認証キー挿入穴１０ａに挿入する（ＳＴ１１）。次に、発光手段１１（最初に発光させる発光素子ａ）を発光させ（ＳＴ１２）、認証キー挿入穴１０ａに挿入された認証キー３０の透過孔３１に向けて光を出射する。ここでは、照合処理開始時であるため、最初に発光素子ａを発光させている。そして、発光素子ａからの光が認証キー３０の透過孔３１に設けられた光学フィルタ３１ａを透過した際に得られる透過孔３１の画像データを孔形状読取手段１２が取得したか否かを判別する（ＳＴ１３）。
【００４１】
ここで、孔形状読取手段１２が画像データを取得したと判別すると（ＳＴ１３−Ｙｅｓ）、現在発光している発光素子ａの光が透過孔３１を透過したことを示しているので、そのときの画像データを画像解析手段１３で画像解析処理して認証キー３０に形成された透過孔３１の形状を特定し（ＳＴ１４）、特定された透過孔３１の孔形状情報と、そのとき光を出射していた発光素子ａの発光波長情報とを、記憶手段１４に記憶された認証情報と照合する（ＳＴ１５）。
【００４２】
これに対し、孔形状読取手段１２が画像データを取得していないと判別すると（ＳＴ１３−Ｎｏ）、発光素子ａの光が透過孔３１の光学フィルタ３１ａを透過しないので、次の発光素子（発光素子ｂ）に切り替え（ＳＴ１６）、再度ＳＴ１２の処理に戻り、発光素子ｂ〜ｅについて発光素子ａと同様の処理を実行する。
【００４３】
そして、ＳＴ１５において、取得した孔形状情報及び発光素子情報が予め登録された認証情報と一致したと判別すると（ＳＴ１５−Ｙｅｓ）、使用された認証キー３０が正当であるため、現在の錠前の施解錠状態、扉の開閉状態に応じて錠前を電気的に施解錠制御するための指令信号（施錠指令信号又は解錠指令信号）を電気錠装置２０に出力する（ＳＴ１７）。そして、電気錠装置２０は、指令信号の入力に基づき錠前を施解錠制御し（ＳＴ１８）、照合処理を終了する。
【００４４】
これに対し、取得した孔形状情報及び発光素子情報が予め登録された認証情報と一致しないと判別すると（ＳＴ１５−Ｎｏ）、使用された認証キー３０が正当でないため、その旨を報知手段１５により報知し（ＳＴ１９）、照合処理を終了する。
【００４５】
このように、本発明に係る認証キー照合システム１は、認証キー３０に任意な形状の透過孔３１を設け、且つその透過孔３１に所定波長の光のみが透過する光学フィルタ３１ａを設け、発光手段１１から認証キー３０に光を出射し、透過孔３１に設けられた光学フィルタ３１ａを透過した光の波長と透過孔３１の形状とを特定することで認証キー３０の認証判別を行い、この認証キー３０を正常認証したときのみ錠前の施解錠を行っている。
【００４６】
これにより、従来のメカ錠のように錠前の施解錠を繰り返し多く行うことで鍵に形成された刻みや窪みの磨耗により鍵として機能しなくなる心配がなく、常に正確な認証キー３０の照合判別を行うことができる。
【００４７】
また、透過孔３１の形状と透過波長の２つの要素により認証キー３０の鍵違いをより多くを発生させることができるため、認証キー３０の複製が従来に比べて非常に困難となり、セキュリティ性が格段に向上する。
【００４８】
さらに、認証キー３０を交換する場合であっても、認証キー３０だけを交換し、簡単な登録操作を行うだけでよいため、シリンダの取り替え作業がなくなるとともに、交換費用を抑える効果を奏する。
【００４９】
ところで、上述した実施の形態では、発光手段１１が複数の発光素子（本例では、５個の発光素子ａ〜ｅ）を備えた構成として説明したが、発光手段１１を１個の発光素子で構成してもよく、使用環境や装置構成に応じて発光素子の数を適宜選択することができる。また、１個又は複数個の発光素子による発光手段１１と所望波長の光を透過する光学フィルタ３１ａとを組み合わせれば、発光手段１１のみの構成に比べて、波長の種類や使用する波長幅が拡大し、さらにセキュリティ性を向上させる効果を奏する。
【００５０】
また、発光手段１１は、認証キー３０が認証キー挿入穴１０ａに挿入される状態のときのみ発光すればよい。そこで、認証キー３０が認証キー挿入穴１０ａに挿入されたことを検知するスイッチや投受光器などの挿入検知手段を認証キー照合装置１０に設け、挿入検知手段からの検知信号により制御判別手段１７が発光手段１１の発光を制御する構成とすれば、発光手段１１に要する電力消費を抑え省電力化を図ることができる。
【符号の説明】
【００５１】
１…認証キー照合システム
１０…認証キー照合装置
１０ａ…認証キー挿入穴
１１…発光手段
１２…孔形状読取手段
１３…画像解析手段
１４…記憶手段
１５…報知手段
１６…操作手段
１７…制御判別手段
２０…電気錠装置
３０…認証キー
３１…透過孔
３１ａ…光学フィルタ
【図１】
2010209519.tif 000003
【図２】
2010209519.tif 000004
【図３】
2010209519.tif 000005
【図４】
2010209519.tif 000006